(57)【要約】【課題】重要度が低い画像がその輪郭のみで表示される場合、ユーザは、重要度の低い画像が表す内容を認識できないこと。【解決手段】遠近方向は、空間を平面で表現するために平面である表示領域内に定義され、最近方点を基点として最遠方点を指す方向である。最近方点及び最遠方点は、それぞれ、表示領域の左下及び右上に設定されている。表示領域は、最遠方点を含む一の部分表示領域と、他の部分表示領域とに分けられる。他の部分表示領域は、最近方点を含む他の部分表示領域Ａと、最近方点を含まない他の部分表示領域Ｂとに分けられる。一の部分表示領域には、共通属性値が表示される。一の部分表示領域では、属性値に係る表示寸法が最も小さくなる。表示領域では、属性値に対応付けられた写真又は属性値に対応付けられた図形が表示される。【選択図】図１
2007304684.tif 000002
【特許請求の範囲】
【請求項１】
表示装置に対して記憶媒体に記憶されたレコードに係る主たる属性値を表示させ、この主たる属性値に係る表示寸法を遠近方向に沿って異ならせ、この遠近方向をなす最遠方点が含まれる一の部分表示領域で前記表示寸法を最も小さくする検索補助装置であって、
前記一の部分表示領域で表示されうる主たる属性値に係るレコードの一部又は全部が共通して有する共通属性値を前記一の部分表示領域で前記表示装置に表示させる処理部を備える検索補助装置。
【請求項２】
前記処理部は、前記共通属性値が属する一の属性と他の部分表示領域で表示される属性値が属する他の属性とを異ならせ、前記一の属性を前記他の属性よりも抽象的な属性とすることを特徴とする請求項１に記載の検索補助装置。
【請求項３】
前記処理部は、前記遠近方向をなす最近方点が前記他の部分表示領域に含まれる場合、前記表示装置に対して前記他の部分表示領域で前記主たる属性値を表示させることを特徴とする請求項１又は請求項２に記載の検索補助装置。
【請求項４】
前記処理部は、前記記憶媒体又は他の記憶媒体で前記属性値に対応付けられた静止画又は動画を前記表示装置に表示させる請求項１乃至請求項３の何れかに記載の検索補助装置。
【請求項５】
前記処理部は、前記遠近方向と前記表示装置の表示領域に係る対角方向とを略一致させることを特徴とする請求項１乃至請求項４の何れかに記載の検索補助装置。
【請求項６】
前記処理部は、操作者位置が助手席側であれば、前記最遠方点を前記表示領域の右方とし、他方、前記操作者位置が運転席側であれば、前記最遠方点を前記表示領域の左方とすることを特徴とする請求項５に記載の検索補助装置。
【請求項７】
前記処理部は、前記遠近方向と前記表示装置の表示領域に属する一点を基準とする放射方向とを略一致させることを特徴とする請求項１乃至請求項４の何れかに記載の検索補助装置。
【請求項８】
前記処理部は、前記表示装置に対して前記属性値をユーザによる指定順に前記遠近方向に沿って表示させることを特徴とする請求項１乃至請求項７の何れかに記載の検索補助装置。
【請求項９】
請求項１乃至請求項８の何れかに記載の検索補助装置と、この検索補助装置に接続される表示装置とを備える検索補助システム。
【発明の詳細な説明】
【技術分野】
【０００１】
本発明は、各種データの検索を補助するための検索補助装置に関する。
【背景技術】
【０００２】
背景技術として、表示装置に対して視点に近い側で相対的に大きな画像を表示させ遠い側で相対的に小さな画像を表示させる３次元的表示装置が知られている（特許文献１及び特許文献２を参照）。
【特許文献１】特開２０００−２５９８５８号公報（図７及び図９）
【特許文献２】特開２００１−３４３８０号公報（図５）
【発明の開示】
【発明が解決しようとする課題】
【０００３】
特許文献１によれば、画像の重要度は視点から離れるほど低いものとみなされ、それらの画像について、その輪郭のみが表示されていた。また、特許文献２によれば、画像は視点から離れるほど小さくなり、その画像に含まれる文字は見え難くかった。そして、出願時の技術常識によれば、重要度が低い画像が視点から離れた位置で小さな表示寸法で表示される場合、その画像に係る説明を省略することが処理負担の軽減という観点からも一般的である。
【０００４】
しかし、重要度が低い画像がその輪郭のみで表示される場合、ユーザは、重要度の低い画像に係るレコードの内容を認識できない。したがって、画像が視点から離れた位置に表示される場合であっても、ユーザに対してその画像に係るレコードの内容を視認性を保ちつつ認識させる必要性がある。
【課題を解決するための手段】
【０００５】
本発明に係る検索補助装置は、表示装置に対して記憶媒体に記憶されたレコードに係る主たる属性値を表示させ、この主たる属性値に係る表示寸法を遠近方向に沿って異ならせ、この遠近方向をなす最遠方点が含まれる一の部分表示領域で前記表示寸法を最も小さくする検索補助装置であって、前記一の部分表示領域で表示されうる主たる属性値に係るレコードが共通して有する共通属性値を前記一の部分表示領域で前記表示装置に表示させる処理部を備えるものである。本発明における字句の解釈は、次のとおりである。
【０００６】
「検索補助装置」とは、表示装置に接続され、この表示装置とともに検索補助システムを構成する。
【０００７】
「記憶媒体」とは、各種データを記憶するための媒体であれば足り、検索補助装置との接続方式を問わない。例えば、「記憶媒体」として、ハードディスクドライブや半導体メモリ等がある。また、「ハードディスクドライブ」は、通信回線を介して接続されたものであってもよい。
【０００８】
「レコード」とは、実体や各属性に属する属性値等の集まりである。「レコード」の集合体は、データベースである。例えば、楽曲レコードに係る実体は、楽曲である。楽曲レコードに係る属性は、楽曲ＩＤ、楽曲画像、実演者、ジャンルや楽曲などである。また、楽曲レコードの集合体は、楽曲データベースである。また、楽曲データベースでは、「レコード」が、楽曲単位を意味せず、アルバム単位やプレイリスト単位を意味することもある。
【０００９】
「主たる属性値」とは、レコードを一義的に識別するための属性値であり、いわゆる、主キーである。楽曲データベースでは、楽曲名が「主たる属性値」に該当する。また、「レコード」がアルバム単位を意味する場合、アルバム名やアルバムＩＤ等が「主たる属性値」に該当する。「レコード」がプレイリスト単位を意味する場合、リスト名が「主たる属性値」に該当する。
【００１０】
「遠近方向」とは、空間を平面で表現するために表示領域内に定義される方向である。「遠近方向」の定義は、３次元処理が施される場合と、３次元処理が施されない場合と区別される。
【００１１】
３次元処理が施される場合、ｚ軸が表示領域（いわゆるｘｙ平面）の奥行方向に定義される。このとき、奥行方向を視線方向とする観測者から見て、観測者の右手方向がｘ軸となり、観測者の上方向がｙ軸となる。そして、ｘ軸、ｙ軸及びｚ軸は互いに直交する。また、ｚ軸上の値（いわゆるｚ値）が最も大きな点をｘｙ平面に射影した点が「最遠方点」である。他方、ｚ値が最も小さな点をｘｙ平面に射影した点が「最近方点」である。「遠近方向」は、「最近方点」から「最遠方点」を指す方向となる。その他にも、特開２００１−３４３８０号公報又は特開２０００−２５９８５８号公報で開示されたものがある。
【００１２】
３次元処理が施されない場合、「遠近方向」においては、「最近方点」及び「最遠方点」がｘｙ平面に定義され、「最近方点」から「最遠方点」を指す方向（又はその単位ベクトル）が「遠近方向」である。「遠近方向」の例として、「前記遠近方向と前記表示装置の表示領域に係る対角方向とを略一致させること」及び「前記遠近方向と前記表示装置の表示領域に属する一点を基準とする放射方向とを略一致させること」がある。特に、遠近方向と対角方向とが略一致する場合、好ましくは、「操作者位置が助手席側であれば、前記最遠方点を前記表示領域の右方とし、他方、前記操作者位置が運転席側であれば、前記最遠方点を前記表示領域の左方とする」処理が採用される。「右方」には「右上」が含まれる。「左方」には「左上」が含まれる「操作者位置」は、タッチパネル等の入力装置や着座センサなどのデバイスによって指定され、ＲＡＭ等の記憶媒体に一時記憶される情報である。
【００１３】
「遠近方向に沿って」とは、レコードの記憶番地に沿っていること及び「ユーザによる指定順に前記遠近方向に沿って」いることを含む概念である。ユーザによる指定順としては、嗜好順等がある。
【００１４】
「部分表示領域」とは、表示装置の表示領域の一部分を意味する。「一の部分表示領域」と「他の部分表示領域」とは、互いに異なる領域である。
【００１５】
「一の部分表示領域で表示されうる」とは、一の部分表示領域で表示される属性値として区分されることを意味する。
【００１６】
「レコードの一部又は全部が共通して有する共通属性値」とは、複数のレコードの全てが共通する属性値を有すること、複数のレコードの一部が共通する属性値を有すること、又はレコードの数が単数である場合にはそのレコードが有する属性値そのものを意味する。
【００１７】
「処理部」とは、ハードウエア又はハードウエアとソフトウエアとの協働によって特定の処理を実行する。
【００１８】
「処理部」は、好ましくは、前記共通属性値が属する一の属性と他の部分表示領域で表示される属性値が属する他の属性とを異ならせ、前記一の属性を前記他の属性よりも抽象的な属性とするものである。「前記一の属性を前記他の属性よりも抽象的な属性とする」とは、一の属性で識別されるレコードの数が他の属性で識別されるレコードの数よりも一般的に多くなることである。例えば、楽曲データベースにおいては、ジャンルで識別される楽曲レコードの数は、実演者で識別される楽曲レコードの数よりも多いので、ジャンルが実演者よりも抽象的な属性である。
【００１９】
「処理部」は、好ましくは、前記遠近方向をなす最近方点が前記他の部分表示領域に含まれる場合、前記表示装置に対して前記他の部分表示領域で前記主たる属性値を表示させるものである。
【００２０】
「処理部」は、前記記憶媒体又は他の記憶媒体で前記属性値に対応付けられた静止画又は動画を前記表示装置に表示させるものである。「前記記憶媒体又は他の記憶媒体で」とは、対応付けが何れかの記憶媒体でなされていれば足りるという意味である。「前記属性値」には、属性値、共通属性値及び主たる属性値が含まれる。「に対応付けられ」の例として、記憶媒体に予め記憶されたテーブル等がある。「静止画」の例として、図形、写真、３次元形状や３次元形状のアニメーションなどがある。「図形」とは、輪郭を有する線図であって、この線図と文字との結合も含む。「図形」の例として、シンボルマーク等がある。
【発明の効果】
【００２１】
本発明は、表示装置に対して最遠方点付近で各レコードの一部又は全部に共通する共通属性値を表示させることで、ユーザに対して共通属性値を介してレコードの内容を大まかに認識させることができるという効果を有する。
【発明を実施するための最良の形態】
【００２２】
本発明に係る検索補助装置を実施するための最良の形態は、図１ないし図１０で示される。
【００２３】
＜表示例＞表示例は、図１で示される。遠近方向は、空間を平面で表現するために平面である表示領域内に定義され、最近方点を基点として最遠方点を指す方向である。
最近方点及び最遠方点は、それぞれ、表示領域の左下及び右上に設定されている。すなわち、本実施の形態において、遠近方向と表示領域の対角方向とは、同一又は略同一である（図１（ａ）を参照）。
【００２４】
表示領域は、最遠方点を含む一の部分表示領域と、他の部分表示領域とに分けられる。他の部分表示領域は、最近方点を含む他の部分表示領域Ａと、最近方点を含まない他の部分表示領域Ｂとに分けられる（図１（ａ）を参照）。
【００２５】
一の部分表示領域には、共通属性値が表示される（図１（ａ）を参照）。一の部分表示領域では、属性値に係る表示寸法（図１（ｂ）を参照）が最も小さくなる（図１（ａ）を参照）。従来例（図１（ｂ）を参照）では、表示される属性値は、何れも、主たる属性値である。すなわち、画像数とレコード数とは等しい。一の部分表示領域では、レコード数が膨大であれば、膨大な数の小さな画像が表示されるので、レコードに係る画像はユーザにとって見辛いものである。そこで、本実施の形態では、一の部分表示領域で表示されうる属性値に係るレコードについて、それらの一部に共通する属性値が一の部分表示領域で表示される（図１（ａ）を参照）。
【００２６】
他の部分表示領域Ａには、主たる属性値が表示される（図１（ａ）を参照）。他の部分表示領域Ａでは、属性値に係る表示寸法は、最も大きい（図１（ａ）を参照）。
【００２７】
他の部分表示領域Ｂでは、共通属性値が表示される（図１（ａ）を参照）。他の部分表示領域Ｂでは、属性値に係る表示寸法は、一の部分表示領域での表示寸法と他の部分表示領域Ａでの表示寸法との中間値となる（図１（ａ）を参照）。
【００２８】
一の部分表示領域、他の部分表示領域Ａ及び他の部分表示領域Ｂで表示される属性値が属する属性は、それぞれ異なっている。また、一の部分表示領域に係る属性の抽象度は他の部分表示領域に係る属性の抽象度に比して高い。
【００２９】
表示領域では、属性値に対応付けられた写真又は属性値に対応付けられた図形が表示される。
【００３０】
以上の表示例が楽曲データベースに係る検索補助に採用される場合、楽曲レコードの主たる属性値は、具体的な楽曲名である。そして、具体的な楽曲名に対応付けられた写真等の楽曲画像は、他の部分表示領域Ａで表示される。
【００３１】
他方、共通属性値は、例えば、具体的な実演者や具体的なジャンル等である。そして、具体的な実演者に対応付けられた写真等の実演者画像は、他の部分表示領域Ｂで表示される。また、具体的なジャンルに対応付けられたジャンル図形は、一の部分表示領域で表示される。
【００３２】
各属性について、楽曲名は最も抽象度が小さい（最も具体的な）属性であり、ジャンルは、最も抽象度が高い属性である。以下の説明では、楽曲データベースが採用されるものとする。
【００３３】
＜概念＞実施の形態の概念は、図２で示される。本実施の形態は、主に、領域決定機能、属性値決定機能及び表示機能からなる。領域決定機能は、各レコードを、これらを識別するための属性値が一の部分表示領域に表示されうるもの、他の部分表示領域Ａに表示されうるもの及び他の部分表示領域Ｂに表示されうるものの何れかに決定するための機能である。属性値決定機能は、共通属性値又は主たる属性値を決定するための機能である。表示機能は、共通属性値又は主たる属性値を表示条件に従って遠近表示するための機能である。
【００３４】
＜ハードウエア構成＞ハードウエア構成は、図３で示される。検索補助装置１は、コンピュータの基本要素（「処理部」に相当する）として、Ｉ／Ｏ２、ＲＯＭ３、ＨＤＤ４（「記憶媒体」及び「他の記憶媒体」に相当する）、ＣＰＵ５、ＲＡＭ６を備える。また、検索補助装置１は、拡張要素（「処理部」に相当する）として、描画ＩＣ７、ＶＲＡＭ８及び音声ＩＣ９を備えている。描画ＩＣ７は、ＣＰＵ５からの命令に従って画像データをＶＲＡＭ８に展開し、ＶＲＡＭ８に展開された画像データを出力する。音声ＩＣは、ＣＰＵ５で出力された制御データに従って音声データを出力する。各要素は、システムバスで接続されている。
【００３５】
Ｉ／Ｏ２には、タッチパネル１１、音声出力装置２１及び表示装置２２が接続されている。各装置とＩ／Ｏ２との間では、Ａ／Ｄ変換又はＤ／Ａ変換が適宜行われる。
【００３６】
ＲＯＭ３には、ＢＩＯＳ等の基本プログラムが記憶されている。基本プログラムは、電源投入時や異常発生時などに実行されるものである。
【００３７】
ＨＤＤ４には、前述の領域決定機能、属性値決定機能及び表示機能をＣＰＵ５に実行させるための処理プログラムが記憶されている（「処理部」に相当する）。
【００３８】
ＨＤＤ４には、楽曲データベース（図４（ａ）を参照）及び画像データベース（図４（ｂ）を参照）が記憶されている。楽曲データベースは、楽曲レコードの集合体である。楽曲レコードは、楽曲名、実演者及びジャンルを含む。楽曲名は、ポインタで楽曲に対応付けられている。
【００３９】
ＨＤＤ４には、領域区分テーブル（図５（ａ）を参照）、属性区分テーブル（図５（ｂ）を参照）、図形テーブル（図５（ｃ）を参照）及び条件テーブル（図５（ｄ）を参照）が記憶されている。
【００４０】
なお、検索補助装置１、タッチパネル１１、音声出力装置２１及び表示装置２２を含むシステムは、検索補助システムと定義されてもよい。
【００４１】
＜処理＞本実施の形態に係る処理は、図６乃至図８で示される。ＣＰＵ５は、処理プログラム、領域区分テーブル、属性テーブル、図形テーブル、条件テーブル、楽曲データベース及び画像データベースをＨＤＤ４からＲＡＭ６に展開し、次の処理を実行する。
【００４２】
＜領域決定機能に係る処理＞領域決定機能は、主に、領域区分処理からなる（図６を参照）。
【００４３】
領域区分処理では、楽曲レコードが記憶される記憶番地（図４（ａ）を参照）及び領域区分テーブル（図５（ａ）を参照）が比較される。この記憶番地は、ＨＤＤ４又はＲＡＭ６での記憶番地である。次に、この比較で得られた領域区分は、楽曲レコードに対応付けてＲＡＭ６に記憶される。
【００４４】
具体的には、楽曲レコードが記憶される記憶番地として、楽曲名（属性値）に係る記憶番地が用いられる。したがって、記憶番地「ｉ〜ｉ＋ｊ」に記憶された楽曲名（属性値）は、他の部分表示領域Ａに対応付けられる。また、記憶番地「ｉ＋ｊ＋１〜ｉ＋ｊ＋ｋ」に記憶された楽曲名（属性値）は、他の部分表示領域Ｂに対応付けられる。さらに、記憶番地「ｉ＋ｊ＋ｋ＋１」以降に記憶された楽曲名（属性値）は、一の部分表示領域に対応付けられる。
【００４５】
＜属性値決定機能に係る処理＞属性値決定機能は、属性決定処理、レコード抽出処理及び属性値抽出処理からなる（図７を参照）。
【００４６】
属性決定処理では、領域区分処理でＲＡＭ６に記憶された領域区分及び属性テーブル（図５（ｂ）を参照）が比較される。次に、この比較で得られた属性は、領域区分処理でＲＡＭ６に記憶された領域区分に対応付けてＲＡＭ６に記憶される。このとき、属性に属する属性値が主たる属性値であるか否かを示す識別子もＲＡＭ６に記憶される。これによって、楽曲レコードをソートするための基準となる属性が、領域区分ごとに定まる。
【００４７】
具体的には、他の部分表示領域Ａでは、楽曲レコードをソートするための基準は、楽曲名（属性）である。また、他の部分表示領域Ｂでは、楽曲レコードをソートするための基準は、実演者である。さらに、一の部分表示領域では、楽曲レコードをソートするための基準は、ジャンルである。
【００４８】
レコード抽出処理では、楽曲データベースは、領域区分処理でＲＡＭ６に記憶された領域区分に従ってソートされる。ソートの基準となる領域区分に対応付けられた楽曲レコードのみが、ＲＡＭ６に記憶される。
【００４９】
具体的には、ソートの基準となる領域区分が他の部分表示領域Ａであれば、記憶番地「ｉ〜ｉ＋ｊ」に記憶された楽曲名（属性値）に係る楽曲レコードのみが、抽出される。また、ソートの基準となる領域区分が他の部分表示領域Ｂであれば、記憶番地「ｉ＋ｊ＋１〜ｉ＋ｊ＋ｋ」に記憶された楽曲名（属性値）に係る楽曲レコードのみが、抽出される。さらに、ソートの基準となる領域区分が一の部分表示領域であれば、記憶番地「ｉ＋ｊ＋ｋ＋１」以降に記憶された楽曲名（属性値）に係る楽曲レコードのみが、抽出される。
【００５０】
属性値抽出処理では、レコード抽出処理でＲＡＭ６に記憶された楽曲レコードが、属性決定処理でＲＡＭ６に記憶された属性に従ってソートされる。属性決定処理でＲＡＭ６に記憶された識別子が主たる属性値を示さない場合、同一の属性値が閾値（閾値≧２）以上あれば、その属性値は、共通属性値として領域区分に対応付けてＲＡＭ６に記憶される。「複数」の具体的な値は、予め又は楽曲レコードの全数との比で定まる。また、共通属性値の数が閾値以上あれば、ＲＡＭ６に記憶される共通属性値は、共通属性値を有する楽曲レコードの数が最も多いものから順に第Ｎ位までに制限される。他方、属性決定処理でＲＡＭ６に記憶された識別子が主たる属性値を示す場合、各属性値が領域区分に対応付けてＲＡＭ６に記憶される。属性値抽出処理は、レコード抽出処理で楽曲レコードが抽出される度に実行される。
【００５１】
具体的には、楽曲レコードが一の部分表示領域に対応付けられたものである場合、楽曲レコードは、属性「ジャンル」に属する属性値に従ってソートされる。「ジャンル」に属する属性値「ジャズ」、「フォーク」及び「ロック」が共通属性値であれば、「ジャズ」、「フォーク」及び「ロック」と一の部分表示領域とが対応付けられる。また、楽曲レコードが他の部分表示領域Ｂに対応付けられたものである場合、楽曲レコードは、属性「実演者」に属する属性値に従ってソートされる。「実演者」に属する属性値「姫」が共通属性値であれば、「姫」と他の部分表示領域Ｂとが対応付けられる。さらに、楽曲レコードが他の部分表示領域Ａに対応付けられたものである場合、楽曲レコードは、属性「楽曲名」に属する属性値に従ってソートされる。もっとも、「楽曲名」に属する属性値「ジョニー」は主たる属性値であるので、「ジョニー」と一の部分表示領域とが対応付けられる。
【００５２】
＜表示機能に係る処理＞表示機能は、画像決定処理及び表示処理からなる（図８を参照）。
【００５３】
画像決定処理では、属性値抽出処理でＲＡＭ６に記憶された共通属性値等は、画像データベース及び図形テーブルと比較される。この比較で得られた写真又は図形は、領域区分に対応付けてＲＡＭ６に記憶される。
【００５４】
本実施の形態では、「ジャズ」、「フォーク」及び「ロック」が一の部分表示領域に対応付けられているので、「ピアノ．ｊｐｇ」、「ギター．ｊｐｇ」及び「電子ギター．ｊｐｇ」（図５（ｃ）を参照）が一の部分表示領域に対応付けられる。ここで、「ピアノ．ｊｐｇ」、「ギター．ｊｐｇ」及び「電子ギター．ｊｐｇ」は、それぞれ、図形である。また、「ジョニー」等が他の部分表示領域Ａに対応付けられているので、写真である「ジョニー．ｊｐｇ」等が他の部分表示領域Ａに対応付けられる。さらに、写真である「姫」が他の部分表示領域Ｂに対応付けられているので、「姫．ｊｐｇ」が他の部分表示領域Ｂに対応付けられる。
【００５５】
表示処理では、画像決定処理でＲＡＭ６に記憶された領域区分及び表示条件テーブル（図５（ｄ）を参照）が比較される。比較で得られた表示条件は、画像決定処理でＲＡＭ６に記憶された写真又は図形に対応付けてＲＡＭ６に記憶される。つまり、領域区分、表示条件及び写真（又は図形）が対応付けられる。表示条件テーブルは、表示寸法や表示座標等の表示条件を領域区分ごとに定義するものであり、遠近表示を実現するために必要なテーブルである。
【００５６】
本実施の形態（図１（ａ）を参照）では、描画ＩＣ７が、ＣＰＵ５からの命令を受けて、ＶＲＡＭ８に画像を描画し、これらの画像を表示装置２２に順次出力する。「ジョニー．ｊｐｇ」は、他の部分表示領域Ａ内の座標（ｘ１、ｙ１）及び表示寸法ａ１で表示される。また、「姫．ｊｐｇ」は、他の部分表示領域Ｂ内の座標（ｘ２、ｙ２）及び表示寸法ａ２で表示される。さらに、「ピアノ．ｊｐｇ」は、一の部分表示領域内の座標（ｘ３、ｙ３）及び表示寸法ａ３で表示される。ここで、表示寸法は、「ａ１＞ａ２＞ａ３」の関係を有する。特に、共通属性値が表示される場合における「ａ３」は、主たる属性値が表示される場合におけるより「ａ３」よりも大きな値に定められている。
【００５７】
＜本実施の形態における効果＞本実施の形態によれば、一の部分表示領域には、共通属性値が表示される（図１（ａ）を参照）ので、ユーザに対して共通属性値を介して楽曲レコードの内容を大まかに認識させることができる。より具体的には、ユーザに対して「ジャズ」という共通属性値を介して楽曲レコードがジャスであることを認識させることができる。
【００５８】
本実施の形態によれば、他の部分表示領域Ａには、楽曲レコードの主たる属性値が表示される（図１（ａ）を参照）。つまり、ユーザに対して楽曲レコードの大まかな内容を最遠方点で認識させ、かつ、楽曲レコードの詳細な内容を最近方点で認識させることによって、ユーザに対して楽曲データベースの構成をシームレスに認識させることができる。
【００５９】
本実施の形態によれば、一の部分表示領域に係る属性の抽象度は他の部分表示領域に係る属性の抽象度に比して高いので、一の部分表示領域に区分された楽曲レコードの数が増えても、ユーザに対して楽曲データベースの内容を最遠方点近傍に表示された画像を介しても大まかに認識させることができる。
【００６０】
＜変形例１＞本実施の形態では、遠近方向は、表示領域の左下から右上を指す対角方向に略同一であるが、表示領域の中心から放射方向に略同一でもよい（図９（ａ）を参照）。また、遠近方向は、表示領域の右下から左上を指す対角方向に略同一でもよい（図９（ｂ）を参照）。さらに、遠近方向は、タッチパネル１１等に対する操作によって決定されてもよい。
【００６１】
＜変形例２＞本実施の形態では、領域区分は、記憶番地に従って決められているが、他の要素に従って決められてもよい。「他の要素」としては、楽曲の物理量や印象値等が用いられてもよい。このとき、楽曲の物理量や印象値等がユーザの嗜好に最も近いものは、最近方点の周辺に表示される。
【００６２】
＜変形例３＞本実施の形態では、他の部分表示領域Ｂにおいて、共通属性値が表示されているが、主たる属性値が表示されてもよい。特に、楽曲レコードの数が少ない場合、他の部分表示領域Ｂに分類される属性値も少なくなり、楽曲レコードに係る属性値を纏める必要がないからである。
【００６３】
＜変形例４＞
本実施の形態では、ＣＰＵやＲＡＭ等のスペックが考慮され、３次元処理を施さずに所望の表示例を得るための説明が行われている。もっとも、ＣＰＵやＲＡＭ等のスペックが考慮されなければ、３次元処理が施されてもよい。
【００６４】
具体的には、３次元空間として、ｘ軸、ｙ軸及びｚ軸が定義され、これらの軸は互いに直交する（図１０を参照）。３次元空間には、各属性値が配置される。各属性値は、観測者（視点カメラ）で撮影されたものとして、ｘｙ平面に平行な面である表示領域に射影される。また、３次元空間のうち視点カメラで撮影されうる範囲において、ｚ値が最も小さいものは最近方点と定義される（以下、ｚ＝ｍｉｎという）。他方、ｚ値が最も大きなものは最遠方点と定義される（以下、ｚ＝Ｍａｘという）。もちろん、遠近方向は、最近方点から最遠方点を指す方向である。
【００６５】
このとき、ｘｙ平面（ｚ＝ｍｉｎ）及びｘｙ平面（ｚ＝ａ）で区切られる領域は、前述の他の部分表示領域Ａに相当する。つまり、ｘｙ平面（ｚ＝ｍｉｎ）及びｘｙ平面（ｚ＝ａ）で区切られる領域に配置された属性値は共通化されず、「ジョニー.ｊｐｇ」等が表示領域に表示される。他方、ｘｙ平面（ｚ＝ａ）及びｘｙ平面（ｚ＝ｂ）で区切られる領域は、前述の他の部分表示領域Ｂに相当する。つまり、ｘｙ平面（ｚ＝ａ）及びｘｙ平面（ｚ＝ｂ）で区切られる領域に配置された属性値は実演者という属性で共通化され、「姫.ｊｐｇ」等が表示領域に表示される。また、ｘｙ平面（ｚ＝ｂ）及びｘｙ平面（ｚ＝Ｍａｘ）で区切られる領域は、前述の一の部分表示領域に相当する。つまり、ｘｙ平面（ｚ＝ｂ）及びｘｙ平面（ｚ＝Ｍａｘ）で区切られる領域に配置された属性値はジャンルという属性で共通化され、「ジャズ.ｊｐｇ」等が表示領域に表示される。
【００６６】
この変形例によれば、表示条件は、テーブルとして用意されず、演算によって求められる。つまり、遠近表示は、２次元処理のみ施される場合に比べてより自然な表現となる。
【産業上の利用可能性】
【００６７】
本発明は、ユーザに対して共通属性値を介してレコードの内容を大まかに認識させることができることができるという効果を有し、楽曲検索機能を有する車載装置などとして有用である。
【図面の簡単な説明】
【００６８】
【図１】（ａ）本発明に係る検索補助装置を実施するための最良の形態による表示例を示す図（ｂ）背景技術による表示例を示す図
【図２】本実施の形態の機能概念を示す図
【図３】本実施の形態に係るハードウエア構成を示す図
【図４】（ａ）本実施の形態に係る楽曲データベースの構成を示す図（ｂ）本実施の形態に係る画像データベースの構成を示す図
【図５】（ａ）本実施の形態に係る領域区分テーブルの構成を示す図（ｂ）本実施の形態に係る属性区分テーブルの構成を示す図（ｃ）本実施の形態に係る図形テーブルの構成を示す図（ｄ）本実施の形態に係る条件テーブルの構成を示す図
【図６】本実施の形態における領域決定機能に係る処理の流れを示す図
【図７】本実施の形態における属性値決定機能に係る処理の流れを示す図
【図８】本実施の形態における表示機能に係る処理の流れを示す図
【図９】（ａ）変形例（遠近方向が放射方向に略等しい場合）による表示例を示す図（ｂ）変形例（遠近方向が対角方向に略等しい場合）による表示例を示す図
【図１０】変形例における３次元空間と表示領域との対応関係を示す図
【符号の説明】
【００６９】
１    検索補助装置
４    ＨＤＤ
５    ＣＰＵ
６    ＲＡＭ
２２    表示装置
【図２】
2007304684.tif 000003
【図３】
2007304684.tif 000004
【図４】
2007304684.tif 000005
【図５】
2007304684.tif 000006
【図６】
2007304684.tif 000007
【図７】
2007304684.tif 000008
【図８】
2007304684.tif 000009
【図１】
2007304684.tif 000010
【図９】
2007304684.tif 000011
【図１０】
2007304684.tif 000012